【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
文書のカテゴリーを生成する文書処理装置であって、
入力された文書を言語解析する言語解析手段と、
前記言語解析手段における言語解析の結果に基づいて、所定の意味を有する１の単語または２以上の単語の組み合わせで表現された概念表現を抽出する概念表現抽出手段と、
前記概念表現抽出手段が抽出した概念表現のうち、所定の概念表現の指定をユーザから受け付ける概念表現指定受付手段と、
前記概念表現指示受付手段が指定を受け付けた概念表現に基づいて文書カテゴリーを生成する文書カテゴリー生成手段と
を備えたことを特徴とする文書処理装置。
【請求項２】
前記概念表現抽出手段が抽出した概念表現を表示する表示手段をさらに備え、
前記概念表現指示受付手段は、表示手段が表示する前記概念表現のうちから、概念表現の指定を受け付けることを特徴とする請求項１に記載の文書処理装置。
【請求項３】
前記文書を、前記文書カテゴリー生成手段が生成した各文書カテゴリーに分配して管理する文書管理手段と、
前記文書管理手段が管理する文書カテゴリー毎に、前記文書を表示する表示手段と
をさらに備えたことを特徴とする請求項１または２に記載の文書処理装置。
【請求項４】
前記文書を、当該文書に含まれる前記概念表現に対応付けて管理する文書管理手段と、
前記文書管理手段が管理する概念表現毎に、前記文書を表示する表示手段と
をさらに備えたことを特徴とする請求項１から３のいずれか一項に記載の文書処理装置。
【請求項５】
前記概念表現指示受付手段は、複数の概念表現の指定を受け付け、
前記文書カテゴリー生成手段は、前記概念表現指示受付手段が複数の概念表現の指定を受け付けた場合に、複数の概念表現に基づいて一の文書カテゴリーを生成することを特徴とする請求項１から４のいずれか一項に記載の文書処理装置。
【請求項６】
前記言語解析手段は、意図を表現する意図表現語と、前記文書に含まれる自立語とを前記文書からを抽出し、
前記概念表現抽出手段は、前記意図表現語と前記自立語とを組み合わせた概念表現基本単位で表現された概念表現を抽出することを特徴とする請求項１から５のいずれか一項に記載の文書処理装置。
【請求項７】
前記言語解析手段は、前記文書を文節に分割し、各文節間の文節間関係を解析し、
前記概念表現抽出手段は、複数の前記概念基本単位と、当該概念基本単位間の前記文節間関係により表現された概念表現を抽出することを特徴とする請求項６に記載の文書処理装置。
【請求項８】
前記概念表現抽出手段は、複数の前記自立語の組み合わせで表現された拡張概念表現を抽出し、
前記概念表現指示受付手段は、前記概念表現抽出手段が抽出した拡張概念表現のうち、所定の拡張概念表現の指定をユーザから受け付けることを特徴とする請求項６または７に記載の文書処理装置。
【請求項９】
前記概念表現抽出手段は、前記概念表現指示受付手段が概念表現の指定を受け付けた場合に、指定された概念表現と他の前記自立語との組み合わせで表現された拡張概念表現を抽出することを特徴とする請求項８に記載の文書処理装置。
【請求項１０】
前記概念表現指示受付手段は、所定の文書の集合である部分集合の指定を受け付け、
前記概念表現抽出手段は、前記概念表現指示受付手段が指定を受け付けた部分集合から概念表現を抽出することを特徴とする請求項１から９のいずれか一項に記載の文書処理装置。
【請求項１１】
前記概念表現抽出手段が抽出した概念表現を、前記概念表現の種類に基づいて並べる表示編集手段をさらに備え、
前記表示手段は、前記表示編集手段により並べ替えられた前記概念表現を表示することを特徴とする請求項２から１０のいずれか一項に記載の文書処理装置。
【請求項１２】
前記指定受付手段が指定を受け付けた概念表現の表示位置を合わせる表示編集手段をさらに備え、
前記表示手段は、前記表示編集手段により概念表現の表示位置が合わせられた複数の文書を表示することを特徴とする請求項２から１１のいずれか一項に記載の文書処理装置。
【請求項１３】
前記指定受付手段が受け付けた概念表現の表示形態を変更する表示編集手段をさらに備え、
前記表示手段は、前記表示編集手段によって表示形態が変更された概念表現を表示することを特徴とする請求項２から１２のいずれか一項に記載の文書処理装置。
【請求項１４】
前記文書カテゴリー生成手段が文書カテゴリーを生成するときに利用した概念表現の表示形態を変更する表示編集手段をさらに備え、
前記表示手段は、前記表示編集手段によって表示形態が変更された概念表現を表示することを特徴とする請求項２から１３のいずれか一項に記載の文書処理装置。
【請求項１５】
複数のフィールドデータを有するフィールド文書を取得する取得手段をさらに備え、
前記言語解析手段は、前記取得手段が取得したフィールド文書に含まれる各フィールドデータに対して言語解析し、
前記概念表現抽出手段は、各フィールドデータに対する概念表現を抽出し、
前記文書カテゴリー生成手段は、各フィールドデータに対する文書カテゴリーを生成することを特徴とする請求項１から１４のいずれか一項に記載の文書処理装置。
【請求項１６】
前記言語解析手段における言語解析の結果に基づいて、前記フィールドデータに予め定められた文字列パターンが含まれるか否かを判別するデータ判別手段をさらに備え、
前記文書カテゴリー生成手段は、前記データ判別手段が前記フィールドデータに前記文字列パターンが含まれると判別した場合には、当該文字列パターンを前記文書カテゴリーとすることを特徴とする請求項１５に記載の文書処理装置。
【請求項１７】
前記言語解析手段における言語解析の結果に基づいて、前記フィールドデータの表記形式を判別するデータ判別手段と、
前記データ判別手段が前記フィールドデータに対して判別した前記表記形式を、前記文書カテゴリーに対応付ける文書管理手段と
をさらに備えたことを特徴とする請求項１から１６のいずれか一項に記載の文書処理装置。
【請求項１８】
前記文書カテゴリー生成手段が生成した文書カテゴリーを表示する文書カテゴリー表示手段と、
前記文書カテゴリー表示手段が表示した文書カテゴリーのうち、ユーザが所望する文書カテゴリーの指定を受け付ける文書カテゴリー指定受付手段と
をさらに備え、
前記文書カテゴリー生成手段は、前記文書カテゴリー指定受付手段が指定を受け付けた文書カテゴリーを対象となる文書の文書カテゴリーとすることを特徴とする請求項１から１７のいずれか一項に記載の文書処理装置。
【請求項１９】
前記文書カテゴリー指定受付手段は、ユーザが所望する複数の文書カテゴリーの指定を受け付け、
前記文書カテゴリー生成手段は、前記文書カテゴリー指定受付手段が指定を受け付けた複数の文書カテゴリーを組み合わせて、文書カテゴリーとすることを特徴とする請求項１８に記載の文書処理装置。
【請求項２０】
文書のカテゴリーを生成する文書処理方法であって、
入力された文書を言語解析する言語解析ステップと、
前記言語解析ステップにおける言語解析の結果に基づいて、所定の意味を有する１の単語または２以上の単語の組み合わせで表現された概念表現を抽出する概念表現抽出ステップと、
前記概念表現抽出ステップにおいて抽出した概念表現のうち、所定の概念表現の指定をユーザから受け付ける指定受付ステップと、
前記指示受付ステップにおいて指定を受け付けた概念表現に基づいて文書カテゴリーを生成する文書カテゴリー生成ステップと
を有することを特徴とする文書処理方法。
【請求項２１】
文書のカテゴリーを生成する文書処理方法をコンピュータに実行させる文書処理プログラムであって、
入力された文書を言語解析する言語解析ステップと、
前記言語解析ステップにおける言語解析の結果に基づいて、所定の意味を有する１の単語または２以上の単語の組み合わせで表現された概念表現を抽出する概念表現抽出ステップと、
前記概念表現抽出ステップにおいて抽出した概念表現のうち、所定の概念表現の指定をユーザから受け付ける指定受付ステップと、
前記指示受付ステップにおいて指定を受け付けた概念表現に基づいて文書カテゴリーを生成する文書カテゴリー生成ステップと
をコンピュータに実行させることを特徴とする文書処理プログラム。
【手続補正２】
【補正対象書類名】明細書
【補正対象項目名】００１３
【補正方法】変更
【補正の内容】
【００１３】
請求項１にかかる発明は、文書のカテゴリーを生成する文書処理装置であって、入力された文書を言語解析する言語解析手段と、前記言語解析手段における言語解析の結果に基づいて、所定の意味を有する１の単語または２以上の単語の組み合わせで表現された概念表現を抽出する概念表現抽出手段と、前記概念表現抽出手段が抽出した概念表現のうち、所定の概念表現の指定をユーザから受け付ける概念表現指定受付手段と、前記概念表現指示受付手段が指定を受け付けた概念表現に基づいて文書カテゴリーを生成する文書カテゴリー生成手段とを備えたことを特徴とする。
【手続補正３】
【補正対象書類名】明細書
【補正対象項目名】００１５
【補正方法】変更
【補正の内容】
【００１５】
また、請求項２にかかる発明は、請求項１に記載の文書処理装置であって、前記概念表現抽出手段が抽出した概念表現を表示する表示手段をさらに備え、前記概念表現指示受付手段は、表示手段が表示する前記概念表現のうちから、概念表現の指定を受け付けることを特徴とする。
【手続補正４】
【補正対象書類名】明細書
【補正対象項目名】００１７
【補正方法】変更
【補正の内容】
【００１７】
また、請求項３にかかる発明は、請求項１または２に記載の文書処理装置であって、前記文書を、前記文書カテゴリー生成手段が生成した各文書カテゴリーに分配して管理する文書管理手段と、前記文書管理手段が管理する文書カテゴリー毎に、前記文書を表示する表示手段とをさらに備えたことを特徴とする。
【手続補正５】
【補正対象書類名】明細書
【補正対象項目名】００１９
【補正方法】変更
【補正の内容】
【００１９】
また、請求項４にかかる発明は、請求項１から３のいずれか一項に記載の文書処理装置であって、前記文書を、当該文書に含まれる前記概念表現に対応付けて管理する文書管理手段と、前記文書管理手段が管理する概念表現毎に、前記文書を表示する表示手段とをさらに備えたことを特徴とする。
【手続補正６】
【補正対象書類名】明細書
【補正対象項目名】００２３
【補正方法】変更
【補正の内容】
【００２３】
また、請求項６にかかる発明は、請求項１から５のいずれか一項に記載の文書処理装置であって、前記言語解析手段は、意図を表現する意図表現語と、前記文書に含まれる自立語とを前記文書からを抽出し、前記概念表現抽出手段は、前記意図表現語と前記自立語とを組み合わせた概念表現基本単位で表現された概念表現を抽出することを特徴とする。
【手続補正７】
【補正対象書類名】明細書
【補正対象項目名】００２５
【補正方法】変更
【補正の内容】
【００２５】
また、請求項７にかかる発明は、請求項６に記載の文書処理装置であって、前記言語解析手段は、前記文書を文節に分割し、各文節間の文節間関係を解析し、前記概念表現抽出手段は、複数の前記概念基本単位と、当該概念基本単位間の前記文節間関係により表現された概念表現を抽出することを特徴とする。
【手続補正８】
【補正対象書類名】明細書
【補正対象項目名】００２７
【補正方法】変更
【補正の内容】
【００２７】
また、請求項８にかかる発明は、請求項６または７に記載の文書処理装置であって、前記概念表現抽出手段は、複数の前記自立語の組み合わせで表現された拡張概念表現を抽出し、前記概念表現指示受付手段は、前記概念表現抽出手段が抽出した拡張概念表現のうち、所定の拡張概念表現の指定をユーザから受け付けることを特徴とする。
【手続補正９】
【補正対象書類名】明細書
【補正対象項目名】００２９
【補正方法】変更
【補正の内容】
【００２９】
また、請求項９にかかる発明は、請求項８に記載の文書処理装置であって、前記概念表現抽出手段は、前記概念表現指示受付手段が概念表現の指定を受け付けた場合に、指定された概念表現と他の前記自立語との組み合わせで表現された拡張概念表現を抽出することを特徴とする。
【手続補正１０】
【補正対象書類名】明細書
【補正対象項目名】００３１
【補正方法】変更
【補正の内容】
【００３１】
また、請求項１０にかかる発明は、請求項１から９のいずれか一項に記載の文書処理装置であって、前記概念表現指示受付手段は、所定の文書の集合である部分集合の指定を受け付け、前記概念表現抽出手段は、前記概念表現指示受付手段が指定を受け付けた部分集合から概念表現を抽出することを特徴とする。
【手続補正１１】
【補正対象書類名】明細書
【補正対象項目名】００３３
【補正方法】変更
【補正の内容】
【００３３】
また、請求項１１にかかる発明は、請求項２から１０のいずれか一項に記載の文書処理装置であって、前記概念表現抽出手段が抽出した概念表現を、前記概念表現の種類に基づいて並べる表示編集手段をさらに備え、前記表示手段は、前記表示編集手段により並べ替えられた前記概念表現を表示することを特徴とする。
【手続補正１２】
【補正対象書類名】明細書
【補正対象項目名】００３５
【補正方法】変更
【補正の内容】
【００３５】
また、請求項１２にかかる発明は、請求項２から１１のいずれか一項に記載の文書処理装置であって、前記指定受付手段が指定を受け付けた概念表現の表示位置を合わせる表示編集手段をさらに備え、前記表示手段は、前記表示編集手段により概念表現の表示位置が合わせられた複数の文書を表示することを特徴とする。
【手続補正１３】
【補正対象書類名】明細書
【補正対象項目名】００３７
【補正方法】変更
【補正の内容】
【００３７】
また、請求項１３にかかる発明は、請求項２から１２のいずれか一項に記載の文書処理装置であって、前記指定受付手段が受け付けた概念表現の表示形態を変更する表示編集手段をさらに備え、前記表示手段は、前記表示編集手段によって表示形態が変更された概念表現を表示することを特徴とする。
【手続補正１４】
【補正対象書類名】明細書
【補正対象項目名】００３９
【補正方法】変更
【補正の内容】
【００３９】
また、請求項１４にかかる発明は、請求項２から１３のいずれか一項に記載の文書処理装置であって、前記文書カテゴリー生成手段が文書カテゴリーを生成するときに利用した概念表現の表示形態を変更する表示編集手段をさらに備え、前記表示手段は、前記表示編集手段によって表示形態が変更された概念表現を表示することを特徴とする。
【手続補正１５】
【補正対象書類名】明細書
【補正対象項目名】００４１
【補正方法】変更
【補正の内容】
【００４１】
また、請求項１５にかかる発明は、請求項１から１４のいずれか一項に記載の文書処理装置であって、複数のフィールドデータを有するフィールド文書を取得する取得手段をさらに備え、前記言語解析手段は、前記取得手段が取得したフィールド文書に含まれる各フィールドデータに対して言語解析し、前記概念表現抽出手段は、各フィールドデータに対する概念表現を抽出し、前記文書カテゴリー生成手段は、各フィールドデータに対する文書カテゴリーを生成することを特徴とする。
【手続補正１６】
【補正対象書類名】明細書
【補正対象項目名】００４３
【補正方法】変更
【補正の内容】
【００４３】
また、請求項１６にかかる発明は、請求項１５に記載の文書処理装置であって、前記言語解析手段における言語解析の結果に基づいて、前記フィールドデータに予め定められた文字列パターンが含まれるか否かを判別するデータ判別手段をさらに備え、前記文書カテゴリー生成手段は、前記データ判別手段が前記フィールドデータに前記文字列パターンが含まれると判別した場合には、当該文字列パターンを前記文書カテゴリーとすることを特徴とする。
【手続補正１７】
【補正対象書類名】明細書
【補正対象項目名】００４５
【補正方法】変更
【補正の内容】
【００４５】
また、請求項１７にかかる発明は、請求項１から１６のいずれか一項に記載の文書処理装置であって、前記言語解析手段における言語解析の結果に基づいて、前記フィールドデータの表記形式を判別するデータ判別手段と、前記データ判別手段が前記フィールドデータに対して判別した前記表記形式を、前記文書カテゴリーに対応付ける文書管理手段とをさらに備えたことを特徴とする。
【手続補正１８】
【補正対象書類名】明細書
【補正対象項目名】００４７
【補正方法】変更
【補正の内容】
【００４７】
また、請求項１８にかかる発明は、請求項１から１７のいずれか一項に記載の文書処理装置であって、前記文書カテゴリー生成手段が生成した文書カテゴリーを表示する文書カテゴリー表示手段と、前記文書カテゴリー表示手段が表示した文書カテゴリーのうち、ユーザが所望する文書カテゴリーの指定を受け付ける文書カテゴリー指定受付手段とをさらに備え、前記文書カテゴリー生成手段は、前記文書カテゴリー指定受付手段が指定を受け付けた文書カテゴリーを対象となる文書の文書カテゴリーとすることを特徴とする。
【手続補正１９】
【補正対象書類名】明細書
【補正対象項目名】００４９
【補正方法】変更
【補正の内容】
【００４９】
また、請求項１９にかかる発明は、請求項１８に記載の文書処理装置であって、前記文書カテゴリー指定受付手段は、ユーザが所望する複数の文書カテゴリーの指定を受け付け、前記文書カテゴリー生成手段は、前記文書カテゴリー指定受付手段が指定を受け付けた複数の文書カテゴリーを組み合わせて、文書カテゴリーとすることを特徴とする。
【手続補正２０】
【補正対象書類名】明細書
【補正対象項目名】００５１
【補正方法】変更
【補正の内容】
【００５１】
また、請求項２０にかかる発明は、文書のカテゴリーを生成する文書処理方法であって、入力された文書を言語解析する言語解析ステップと、言語解析ステップにおける言語解析の結果に基づいて、所定の意味を有する１の単語または２以上の単語の組み合わせで表現された概念表現を抽出する概念表現抽出ステップと、前記概念表現抽出ステップにおいて抽出した概念表現のうち、所定の概念表現の指定をユーザから受け付ける指定受付ステップと、前記指示受付ステップにおいて指定を受け付けた概念表現に基づいて文書カテゴリーを生成する文書カテゴリー生成ステップとを有することを特徴とする。
【手続補正２１】
【補正対象書類名】明細書
【補正対象項目名】００５３
【補正方法】変更
【補正の内容】
【００５３】
また、請求項２１にかかる発明は、文書のカテゴリーを生成する文書処理方法をコンピュータに実行させる文書処理プログラムであって、入力された文書を言語解析する言語解析ステップと、前記言語解析ステップにおける言語解析の結果に基づいて、所定の意味を有する１の単語または２以上の単語の組み合わせで表現された概念表現を抽出する概念表現抽出ステップと、前記概念表現抽出ステップにおいて抽出した概念表現のうち、所定の概念表現の指定をユーザから受け付ける指定受付ステップと、前記指示受付ステップにおいて指定を受け付けた概念表現に基づいて文書カテゴリーを生成する文書カテゴリー生成ステップとをコンピュータに実行させることを特徴とする。